(57)【要約】      （修正有）【課題】着用者のウエストサイズに応じてウエスト部を伸縮させることができるばかりでなく、デザイン的にも良好なスラックスのウエスト部を提供する。【解決手段】伸縮性を有するスラックス本体の上端１１と、伸縮性を有するウエストテープ部２とからなるストレッチスラックスのウエスト部である。このウエストテープ部は、テープ本体３と脚部４からなる。前記テープ本体は１本のテープ状で、前記脚部は表脚部４１と裏脚部４２の二股に形成したものであって、前記ウエストテープ部は、全体の断面がほぼ「人」形又は逆Ｙ字状である。これら表脚部、裏脚部の間に、前記スラックス本体の上端が挟まれて伸縮自在なステッチ縫５により縫い付けられている。【選択図】図２
2015078447.tif 000002
【特許請求の範囲】
【請求項１】
伸縮性を有するスラックス本体（１）の上端と、伸縮性を有するウエストテープ部（２）とからなるストレッチスラックスのウエスト部であって、
このウエストテープ部（２）は、テープ本体（３）と脚部（４）からなり、
前記テープ本体（３）は１本のテープ状で、前記脚部（４）は表脚部（４１）と裏脚部（４２）の二股に形成したものであって、前記ウエストテープ部（２）は、全体の断面がほぼ「人」字状又は逆Ｙ字状であり、
これら表脚部（４１）、裏脚部（４２）の間に、前記スラックス本体（１）の上端（１１）が挟まれて伸縮自在なステッチ縫（５）により縫い付けられていること
を特徴とする、ストレッチスラックスのウエスト部。
【請求項２】
前記ウエストテープ部（２）は自然状態で湾曲しており、その湾曲度は１ｍあたり、最上点と最下点の幅（Ｌ）が２０ｍｍ〜４０ｍｍである請求項１記載の、ストレッチスラックスのウエスト部。
【請求項３】
前記ウエストテープ部（２）は横方向にのみ伸縮性を有し、その伸縮度は１００〜１５０％である請求項１又は２記載の、ストレッチスラックスのウエスト部。
【請求項４】
前記ウエストテープ部（２）はニードル織機により織成された生地からなる請求項１〜４記載の、ストレッチスラックスのウエスト部。
【請求項５】
請求項１〜４のいずれかに記載の、ストレッチスラックスのウエスト部を有するストレッチスラックス。
【請求項６】
前記スラックス本体（１）及び前記ウエストテープ部（２）は消臭性組成物が含浸された消臭糸を使用して織成された消臭生地からなる請求項５記載のストレッチスラックス。
【発明の詳細な説明】
【技術分野】
【０００１】
本発明は、ストレッチスラックスと呼ばれる伸縮性のあるスラックスに関し、特にそのウエスト部の改良に関するものである。
【背景技術】
【０００２】
一般に、既製品のスラックスは、メーカーにおいてあらかじめ設定された複数のウエストサイズのものが提供されており、着用者は、自己のウエストサイズに近いものを選択して購入し、ベルト等によって補整しながら着用している。
【０００３】
しかしながら、ベルト等によって補整する場合には、ウエスト部にシワが生じてテザイン的に好ましくなく、また、伸縮性に欠けるため着用した際の快適性にも劣るという問題がある。
【０００４】
この問題を解決するために、スラックスのウエスト部の全周又は横側・後ろ側を、ゴム等の弾性材により形成し、この弾性材によってウエスト部を伸縮させることができるようにしたストレッチスラックスが提供されている。例えば、特許第５０１６７３９号や特開２００９―２４２９８８などの技術が公知である。
【先行技術文献】
【特許文献】
【０００５】
【特許文献１】特許第５０１６７３９号
【特許文献２】特開２００９―２４２９８８
【発明の概要】
【発明が解決しようとする課題】
【０００６】
ところが、このような従来のスラックスにあっては、所期の目的を達成することはできるものの、ウエスト部の横側等に備えられた弾性材が露呈して見栄えが悪く、また、弾性材が縮んだ状態では、ウエストテープ部にシワが生じて美感を損ね、デザイン的に良好なものではなかった。
【０００７】
また、添付の図５に示すように、着用者が屈んだ時にスラックスの上端と背中の間Ｓが開くという現象が見られた。やはり見栄えが悪いものであった。
【０００８】
本発明は、このような課題を解決するためになされたものである。その目的とするところは、着用者のウエストサイズに応じてウエスト部を伸縮させることができるばかりでなく、屈んだときでもスラックスの上端と背中の間があまり開かず、しかも、デザイン的にも良好なスラックスを提供することである。言い換えれば、昨今の活動的な中高年齢の人たち、特に女性にとって、楽で、動きやすい、かつ、見た目がくだけ過ぎない着心地のよいスラックスを提供することである。
【課題を解決するための手段】
【０００９】
本発明は、伸縮性を有するウエストテープ部と伸縮性を有するスラックス本体の上端からなるストレッチスラックスであって、このウエストテープ部２は、テープ本体３と脚部４からなり、前記テープ本体３は１本のテープ状で、前記脚部４は表脚部４１と裏脚部４２の二股に形成したものであって、前記ウエストテープ部２は、全体の断面がほぼ「人」字状又は逆Ｙ字状であり、これら表脚部４１、裏脚部４２の間に、前記スラックス本体１の上端１１が挟まれて伸縮自在なステッチ縫５により縫い付けられていることを特徴とする（請求項１）。
【００１０】
好ましくは、前記ウエストテープ部２は自然状態で湾曲しており、その湾曲度は１ｍあたり、最上点と最下点の幅が２０ｍｍ〜４０ｍｍである（請求項２）。
【００１１】
好ましくは、前記ウエストテープ部２は横方向にのみ伸縮性を有し、その伸縮度は１００〜１５０％である（請求項３）。
【００１２】
好ましくは、前記ウエストテープ部（２）はニードル織機により織成された生地からなる（請求項４）。
【００１３】
上記ストレッチスラックスのウエスト部を使用してストレッチスラックスを製造することができる（請求項５）。
【００１４】
さらに好ましくは、前記スラックス本体１及び前記ウエストテープ部２は消臭性組成物が含浸された消臭糸を使用して織成された消臭生地からなるものである（請求項６）。
【発明の効果】
【００１５】
本発明請求項１，３〜５によれば、ウエストテープ部は、全体の断面がほぼ「人」形又は逆Ｙ字状である。これら表脚部、裏脚部の間に、スラックス本体の上端が挟まれて伸縮自在なステッチ縫により縫い付けられている。そのため、着用者のウエストサイズに応じてウエストテープ部を伸縮させることができるばかりでなく、縫製が簡略化され、縫い代も嵩張らず、デザイン的にも良好なスラックスのウエスト部となった。
【００１６】
請求項２の発明によれば、着用者が屈んだ時にスラックスの上端と背中の間が開くという現象をある程度回避することができる。
【００１７】
請求項６の発明によれば、スラックスに消臭効果を持たせることができる。
【００１８】
以下、添付の図面に基づき、本発明の実施態様を説明する。
【図面の簡単な説明】
【００１９】
【図１】本発明の１実施例を示すウエスト部を有するスラックスの正面図である。
【図２】表側から見たウエストテープ部の一部を断面で示した要部の拡大斜視図である。
【図３】ウエストテープ部の製造を説明するための斜視図である。
【図４】ウエストテープ部の湾曲状態を説明する正面図である。
【図５】従来のスラックスを着用して着用者が屈んだ状態を示す斜視図である。
【発明を実施するための形態】
【００２０】
以下、本発明を、実施の形態に基づき、添付の図面を用いて詳細に説明する。
【００２１】
伸縮性を有する織物生地製のスラックス本体１の上端に伸縮性を有する織物製のウエストテープ部２が取り付けられている。スラックス本体１は、縦横双方（ツーウェイ）に伸縮し、ウエストテープ部２は横方向のみに伸縮する。ウエストテープ部２の伸縮度は１００〜１５０％、好ましくは１２０〜１３０％である。
【００２２】
ウエストテープ部２は、テープ本体３と、脚部４からなる。テープ本体３は高さが約２０〜４０ｍｍの１本のテープ状であり、脚部４は、高さが約１０〜３０ｍｍで表脚部４１と裏脚部４２の二股に形成したものである。そのため、ウエストテープ部は、断面がほぼ「人」字状又は逆Ｙ字状である。これら表脚部４１、裏脚部４２の間に、上記スラックス本体１の上端１１が挟まれて伸縮自在なステッチ縫５により縫い付けられている。
【００２３】
ウエストテープ部２は、図４に示すように、自然状態で湾曲しており、その湾曲度は１ｍあたり、最上点と最下点の幅Ｌは２０ｍｍ〜４０ｍｍである。
【００２４】
スラックス本体１及びウエストテープ部２は消臭性組成物が含浸された消臭糸を使用して織成された消臭生地とすることが好ましい。消臭糸は、消臭性組成物が含浸又は付着された消臭繊維を紡糸したものである。この消臭糸の素材としては綿等の天然繊維である他、合成繊維、半合成繊維であってもよく、消臭糸の素材は特に制限されない。
【００２５】
消臭性組成物は、過酸化水素と二価鉄塩とを含み、この消臭性組成物の水溶液中で、セルロース繊維にメタクリル酸をグラフト共重合させることによりセルロース繊維の分子中にカルボキシル基を導入してある。このカルボキシル基の導入により、アンモニア、アミン、尿臭等の塩基性悪臭に対する吸着性に優れており、この塩基性悪臭と中和反応を起こしてアンモニア臭、トリメチルアミン臭を消臭することができる。尚、消臭性組成物の材料は特に制限されない。
【実施例１】
【００２６】
図3に示すようなウエストテープ部２を次のようにして製造した。
【００２７】
経糸にポリエステルウーリー糸１１０dtex/２ 、緯糸にポリエステルフィラメント糸２２０dtex、経糸密度１４０本／インチ、緯糸密度３６本／インチをニードル織機（ミューラー社製ＮＦタイプ）において、ウエフトニードル２本、ラッチニードル２本の２本針仕様によって、平織りで高さ２０ｍｍの、表裏脚部４１，４２が接合点４３で連結された脚部４を織成した。この脚部４の接合点４３を起点にして、経糸にポリエステルウーリー糸１１０dtex/２、緯糸にポリエステルフィラメント糸２２０dtex × ２ 、経糸密度１４０本／インチ、緯糸密度３６本／インチを平織りで高さ３０ｍｍ のテープ本体３を織成した。経糸に、ゴムの厚みのある部分で９４０〜１２４０dtex、ゴムの二股になっている部分で４６０〜５６０dtexのポリウレタン糸を適宜の比率で採用することで、さらにゴム織物のパワーアップ、伸度アップを望むことができる。
【００２８】
ウエストテープ部２に自然状態で湾曲させるためには、テープ本体３に比べて脚部４における糸密度を高めればよい。
【００２９】
このウエストテープ部２を、スラックス本体１の上端１１を挟んで縫着して、ストレッチスラックスが得られた。このスラックスは、縫製が簡略化され、縫い代も嵩張らず、見栄えのするものである。また、ウエストテープ部２は自然状態で湾曲しているので、スラックスに加工したとき、着用者の腰部にフィットするものとなり、屈んでもスラックスの上端と背中の間が開くという現象をある程度回避することができる。
【符号の説明】
【００３０】
１     スラックス本体
２     ウエスト部
３     テープ本体
４     テープ脚部
４１   表脚部
４２   裏脚部
４３   接合点
【図１】
2015078447.tif 000003
【図２】
2015078447.tif 000004
【図３】
2015078447.tif 000005
【図４】
2015078447.tif 000006
【図５】
2015078447.tif 000007